(57)【要約】【課題】コンテンツ内のオブジェクトに係るメタデータが更新された場合、優先度を算出して効果的に更新通知を行う映像処理装置及び映像処理方法を提供する。【解決手段】映像処理装置１０１は、オブジェクトのメタデータを管理するメタデータ管理部１０６を備える。メタデータ比較部１０７は、取得したメタデータと、メタデータ管理部１０６が管理しているメタデータとを比較して更新の有無を判定する。更新通知優先度算出部１０８は、メタデータの更新通知に係る優先度を算出し、更新通知判定部１０９は該優先度に基づき、オブジェクトのメタデータの更新通知を行うか否かを判定する。メタデータの更新通知を行う場合、更新通知部１１０は更新が行われた旨を通知するためのデータを生成する。【選択図】図１
2011223164.tif 000002
【特許請求の範囲】
【請求項１】
映像情報及び映像を構成するオブジェクトに係る付加情報を処理する映像処理装置であって、
前記付加情報が更新された場合、該付加情報の更新通知を行う際の優先度を前記オブジェクトごとに算出し、算出した優先度に基づいて前記付加情報の更新通知を行うか否かを判定することにより更新通知の頻度を制御する更新通知制御手段を備えることを特徴とする映像処理装置。
【請求項２】
前記更新通知制御手段は、
前記オブジェクトの情報及び前記付加情報を管理する管理手段と、
取得した付加情報と前記管理手段が管理している付加情報とを比較して該付加情報が更新されたか否かを判定する比較手段と、
前記比較手段の結果を受けて前記付加情報の更新通知に係る前記優先度を算出する算出手段と、
前記算出手段が算出した優先度に基づいて更新通知を行うか否かを判定する更新通知判定手段と、
前記更新通知判定手段の判定結果に従って、前記付加情報の更新が行われた旨を通知するためのデータを生成する更新通知手段と、を備えることを特徴とする、請求項１記載の映像処理装置。
【請求項３】
前記算出手段は、前記付加情報の更新が行われたオブジェクトについて、その付加情報を表示した回数を用いて前記優先度を算出することを特徴とする、請求項２記載の映像処理装置。
【請求項４】
前記算出手段は、前記付加情報の更新が行われたオブジェクトの種別を示すカテゴリ情報を用いて、前記優先度を算出することを特徴とする、請求項２記載の映像処理装置。
【請求項５】
前記算出手段は、前記付加情報の更新が行われたオブジェクトについて、更新通知を前回行った時点からの経過時間の情報を用いて前記優先度を算出することを特徴とする、請求項２記載の映像処理装置。
【請求項６】
前記算出手段は、前記優先度の算出に必要な項目が複数の判定条件を満たした場合、該判定条件を満たす項目の数を計算して前記優先度を算出することを特徴とする、請求項２記載の映像処理装置。
【請求項７】
前記付加情報を取得する取得手段及び画像解析を行って前記付加情報を生成する解析手段のうちの１つ以上を備えることを特徴とする、請求項１から６のいずれか１項記載の映像処理装置。
【請求項８】
映像情報及び映像を構成するオブジェクトに係る付加情報を処理する映像処理装置により実行される映像処理方法であって、
前記付加情報が更新された場合、該付加情報の更新通知を行う際の優先度を前記オブジェクトごとに算出するステップと、
前記ステップで算出した優先度に基づいて前記付加情報の更新通知を行うか否かを判定することにより更新通知の頻度を制御するステップを有することを特徴とする映像処理方法。
【発明の詳細な説明】
【技術分野】
【０００１】
本発明は、コンテンツデータ及びこれに付加されたメタデータを処理する映像処理装置及び映像処理方法に関する。
【背景技術】
【０００２】
コンテンツのデジタル化に伴い、コンテンツデータの内容を表すメタデータが付加されるようになってきている。例えば、コンテンツ内のシーン毎に、又はオブジェクト毎にメタデータが付加され、視聴者がコンテンツ視聴の際に任意のオブジェクトを選択するシステムが考えられる。この場合、視聴者が選択したオブジェクトのメタデータを利用できるので利便性が高まる。
【０００３】
コンテンツの付加情報として利用されるメタデータとしては（図２参照）、例えば、オブジェクトのカテゴリ、芸名、その人物の出演した他番組情報等、登場人物のプロフィール等が考えられる。オブジェクトとしては、登場人物等のキャラクタや、椅子や建物等のアイテムが挙げられる。ドラマや映画等のコンテンツの場合、出演者の役名、役柄が付加される等、コンテンツ特有の情報が付与されると想定される。ドラマや映画の場合、経過時間とともに、同一のオブジェクトに付加されるメタデータが変化し、その都度メタデータの更新が必要とされる。例えば、図２（ａ）のように出演者の役柄が事件の容疑者であったとしても、時間経過に伴い、図２（ｂ）のように役柄が犯人に更新されるといったことが考えられる。また、スポーツ番組の場合、選手の成績が試合の経過時間とともに更新され、クイズ番組の場合には出演者の成績等が更新されていく。
このように、同一オブジェクトに対するメタデータが時間経過につれて更新される場合、視聴者に更新の旨を通知する必要がある。特許文献１に開示された技術では、データ放送画面内のデータが更新された際に通知を行い、また、ユーザ設定又は機器の判断で、更新通知を行うオブジェクトを登録する処理が行われる。
【先行技術文献】
【特許文献】
【０００４】
【特許文献１】特開２００５−２７７８５５号公報
【発明の概要】
【発明が解決しようとする課題】
【０００５】
従来の技術ではオブジェクトに係るメタデータの変更や更新の通知を効果的に行えないため、以下の問題がある。
【０００６】
特許文献１に開示の技術では、オブジェクトのメタデータが更新される場合、視聴者への通知の有無をオブジェクト毎に予め登録しておく必要がある。このため、同一オブジェクトに係るメタデータの更新に関して、その時点での状況に応じて動的に通知するか否かを装置側で判断することはできない。
コンテンツ内のオブジェクトにメタデータが付加される場合、コンテンツ内のオブジェクト数は、データ放送の構成オブジェクトの数に比べて遥かに大きいと想定される。そのため、一度に大量のオブジェクトが更新された場合や、頻繁に更新が行われる場合等を考慮すると、ユーザの負担は図りし得ないものとなる。つまり、オブジェクト毎にただ更新を通知するか又は通知しないかを登録しておく方法では、メタデータの更新通知回数が多くなり過ぎた場合、ユーザの利便性を損なう虞があるため、好ましくない。
そこで本発明は、更新通知の優先度を用いて状況に合わせてオブジェクトの付加情報の更新通知を効果的に行うことを目的とする。
【課題を解決するための手段】
【０００７】
上記課題を解決するために本発明に係る装置は、映像情報及び映像を構成するオブジェクトに係る付加情報を処理する映像処理装置であって、前記付加情報が更新された場合、該付加情報の更新通知を行う際の優先度を前記オブジェクトごとに算出し、算出した優先度に基づいて前記付加情報の更新通知を行うか否かを判定することにより更新通知の頻度を制御する更新通知制御手段を備える。
【発明の効果】
【０００８】
本発明によれば、更新通知の優先度を用いて状況に合わせて効果的にオブジェクトの付加情報の更新通知を行うことができる。
【図面の簡単な説明】
【０００９】
【図１】図２乃至７と併せて本発明の第１実施形態を説明するために、映像処理装置の構成例を示すブロック図である。
【図２】メタデータの変化に伴う更新例を示す図である。
【図３】オブジェクト管理部が管理するオブジェクト情報を例示した図である。
【図４】更新通知優先度の算出処理例を説明するフローチャートである。
【図５】更新通知優先度の算出処理例を示す図である。
【図６】メタデータの更新通知画面例を示す図である。
【図７】メタデータの更新通知処理例を説明するフローチャートである。
【図８】本発明の第２実施形態に係る映像処理装置の構成例を示すブロック図である。
【発明を実施するための形態】
【００１０】
以下、コンテンツの映像情報と、その付加情報として映像の構成部（オブジェクト）に係るメタデータを処理する装置及び方法を説明する。なお本発明に係る映像処理装置の実施形態としては、装置が表示部を備えた構成と、装置が映像信号又は映像音声信号を出力して外部の表示装置に画像を表示させる構成が挙げられる。
【００１１】
［第１実施形態］
本発明の第１実施形態について、図面を用いて詳細に説明する。
図１は、映像処理装置の構成例を示すブロック図である。映像処理装置１０１は、放送受信部１０２によって放送コンテンツのデータ、つまり映像情報を含むデータを受信し、チャンネル設定に応じたコンテンツデータの分離と復号を行い、コンテンツに付加されたメタデータも同時に受信する。メタデータ取得部１０３は、放送受信部１０２が受信した放送コンテンツのデータから、コンテンツ内のオブジェクトに係るメタデータを抽出し、メタデータ解析部１０４へ出力する。
【００１２】
メタデータ解析部１０４は、メタデータ取得部１０３から受け取ったメタデータを解析し、図２に示すようなオブジェクトのメタデータを抽出する。本例では、オブジェクト（例えば出演者）を特定するための固有の識別情報（オブジェクトＩＤ）、オブジェクトのカテゴリ、役名、芸名、役柄、その人物が出演した他の番組情報やプロフィール等を示す。ドラマや映画の場合、メタデータとして役名や役柄といったコンテンツ特有の情報が付与される。メタデータ解析部１０４は、解析結果をオブジェクト管理部１０５へ送信する。例えば、取得したメタデータがＸＭＬ（eXtensible Markup Language）形式であれば、ＸＭＬ文書の解析後、所定の表現形式への変換処理が行われる。但し、本発明の適用上、メタデータの形式についての如何は問わない。
【００１３】
図１の符号１０５乃至１１０に示す構成部は更新通知制御を担当し、オブジェクトのメタデータに関する更新通知の優先度に基づいて更新通知を行うべきか否かを判定することにより更新通知の頻度を制御する。
オブジェクト管理部１０５は、これまでに取得したメタデータが示すオブジェクトの情報を、オブジェクト毎に管理する。オブジェクト管理部１０５が管理する情報（以下、オブジェクト情報という）を図３に例示する。本例ではオブジェクトＩＤ、オブジェクトの種別を示すカテゴリ（人物、車、洋服、建物等）、前回メタデータが更新された旨をユーザに通知した時点からの経過時間、オブジェクトのメタデータ表示を実行した回数等を示す。
【００１４】
メタデータ管理部１０６は、オブジェクト管理部１０５が管理している全てのオブジェクトについて、その付加情報（以下、メタデータ情報という）を管理する。
オブジェクト管理部１０５は、メタデータ解析部１０４から受信したデータの示すオブジェクトが、その管理下にない新たなオブジェクトであるか否かを判断する。新たなオブジェクトが検出された場合、オブジェクト管理部１０５は当該オブジェクトに係るオブジェクト情報を追加し、またメタデータ管理部１０６に当該オブジェクトに係るメタデータ情報を追加して、それぞれ管理する。一方、対象とするオブジェクトが既に管理済みである場合、オブジェクト管理部１０５は、メタデータ管理部１０６が管理しているメタデータ情報を取得し、メタデータ比較部１０７に送信する。
【００１５】
メタデータ比較部１０７は、オブジェクト管理部１０５から受信した、現在保持しているメタデータと、メタデータ解析部１０４からの新たなメタデータを比較する。メタデータ比較部１０７は、メタデータの内容が更新されたか否かを判定し、更新差分量を抽出する。なお更新差分量とは、メタデータが更新された場合における情報の要素数のことであり、ここでいう要素とは、図２の「役名」や「役柄」のようなメタデータ情報の各要素を示す。つまり、図２（ａ）から図２（ｂ）へのメタデータ更新では「役柄」の要素のみが変化しているので、更新差分量は１（要素）となる。メタデータ比較部１０７は、メタデータが更新されたと判定した場合、その旨を更新通知優先度算出部（以下、単に優先度算出部という）１０８及びオブジェクト管理部１０５に通知する。これによりオブジェクト管理部１０５は保持するオブジェクト情報を更新し、メタデータ管理部１０６は保持するメタデータ情報を更新する。
【００１６】
優先度算出部１０８は、メタデータ比較部１０７からメタデータが更新された旨の通知を受信すると、メタデータ比較部１０７、オブジェクト管理部１０５から更新通知優先度の算出に必要な情報を取得する。優先度算出部１０８は、該情報を用いて更新通知優先度を算出し、算出した優先度の情報を更新通知判定部１０９へ送信する。
【００１７】
以下、優先度算出部１０８による算出処理例について、図４のフローチャートを用いて説明する。
優先度算出部１０８はメタデータ比較部１０７から、メタデータが更新されたオブジェクトＩＤの通知を受け、オブジェクト管理部１０５からは対象となるオブジェクトに係るメタデータの表示回数（図３参照）のデータを取得する（Ｓ４０１）。次に、優先度算出部１０８はオブジェクト管理部１０５から、対象とするオブジェクトに係るカテゴリ情報を取得する（Ｓ４０２）。
優先度算出部１０８はオブジェクト管理部１０５から、対象とするオブジェクトについての更新通知を前回行った時点からの経過時間を示す情報を取得する（Ｓ４０３）。そして優先度算出部１０８はメタデータ比較部１０７から更新差分量を取得する（Ｓ４０４）。Ｓ４０５で優先度算出部１０８は、Ｓ４０１乃至Ｓ４０４で得た情報に基づき優先度を算出し、Ｓ４０６で最終的な更新通知優先度を算出する。算出処理の一例を図５に示す。本例では、優先度の算出に係る優先度評価項目として、メタデータの表示回数、カテゴリ、前回の更新通知を行った時点からの経過時間、更新差分量が採用される。図５の例では、以下に示す複数の判定条件が課される。
（１）メタデータの表示回数が１回以上であること。
（２）カテゴリが人物であること。
（３）前回の更新通知時点からの経過時間が５分以上であること。
（４）更新差分量が２（要素）以上であること。
【００１８】
優先度評価項目（メタデータの表示回数、カテゴリ、前回の更新通知を行った時点からの経過時間、更新差分量）が予め設定された判定条件（１）乃至（４）を満たすか否かが判定される。そして、判定条件を満たす場合（図５の「○」参照）と判定条件を満たさない場合（図５の「×」参照）が優先度評価項目毎にチェックされる。そして、各オブジェクトについて、判定条件を満たした優先度評価項目の数（「○」の数）が更新通知優先度として算出される。例えば、人物Ａに関するオブジェクト情報は（１）乃至（４）の条件を満たすので、更新通知優先度（つまり判定条件を満たす優先度評価項の数）は４となる。本例では、判定条件を満たす優先度評価項目の数を計算して、更新通知優先度を０から４の範囲で算定している。優先度が４である人物Ａの更新通知優先度が最も高く、優先度が０である建物Ｇの更新通知優先度が最も低いことが分かる。なお、更新通知優先度の算出に用いる優先度評価項目及び判定条件の基準は本例に限るものでなく、ユーザが自由に設定できる形態でもよいし、機器が自動的に優先度評価項目及び判定条件の基準を設定してもよい。本実施形態では理解のし易さを考慮して、各優先度評価項目についての当否（○又は×）のみを判定し、優先度評価項目数を求めて優先度を算出した。これに限らず、優先度評価項目毎に異なる点数をつける方法や、優先度評価項目毎の点数に重み付けを行って優先度を算出する方法を採用してもよい。
【００１９】
図１の更新通知判定部１０９は、優先度算出部１０８が算出した更新通知優先度に従い、予め設定された通知判定基準に従って、メタデータの更新が行われた旨をユーザに通知するか否かを判定する。ユーザに更新を通知すると判定した場合、更新通知判定部１０９はその旨を更新通知部１１０に指示する。更新通知部１１０は、更新通知判定部１０９から更新通知を行うよう指示されると、メタデータが更新された旨をユーザに通知するためのメッセージを作成し、合成部１１３に出力する。また更新通知判定部１０９はオブジェクト管理部１０５に対し、更新通知を行った旨を知らせる。これを受けてオブジェクト管理部１０５は、管理している経過時間（前回の更新通知時点からの経過時間）の情報を、更新通知が行われた時点でリセットしてゼロに設定する。ユーザに通知する更新通知メッセージの一例を図６に示す。更新通知方法として、図６（ａ）では、更新されたオブジェクト名（本例ではオブジェクトＢ）が画面上の表示領域６０１に表示される。また図６（ｂ）では、画面上でオブジェクトの選択が可能なアプリケーションにおいて、オブジェクトのメタデータを更新した旨が、該オブジェクトに対応する領域６０２（アイコンや操作領域等）に表示される。なお更新通知方法はこれらに限るものではない。
【００２０】
図１の入力部１１１は、リモートコントローラ等を用いたユーザの操作指示を受けて処理する。ユーザの操作指示を受けて入力部１１１がメタデータの表示を指示すると、メタデータ表示制御部１１２はオブジェクト管理部１０５を介して、表示を指示されたオブジェクトのメタデータ情報をメタデータ管理部１０６より取得する。該メタデータ情報は合成部１１３へ出力される。そしてオブジェクト管理部１０５は、メタデータの表示が行われると、管理しているメタデータの表示回数を示す情報を更新する（表示回数に１を加算する）。合成部１１３は、放送受信部１０２が出力した映像信号と、メタデータ表示制御部１１２が出力したメタデータの表示画像信号と、更新通知部１１０より出力された更新通知メッセージの表示信号を合成する。合成後の映像信号は出力部１１４が不図示の表示装置に出力する。
【００２１】
次に、映像処理装置１０１におけるメタデータの更新通知処理について、図７に示すフローチャートを用いて説明する。
まず、ユーザがコンテンツ視聴の開始を装置に指示すると、メタデータ取得部１０３は放送受信部１０２が受信した放送コンテンツのメタデータを取得する（Ｓ７０１）。メタデータ解析部１０４は、取得したメタデータを解析し、メタデータの示すオブジェクトを特定する（Ｓ７０２）。オブジェクト管理部１０５は、Ｓ７０２で特定したオブジェクトが既に管理済みのオブジェクトであるか否かを判定する（Ｓ７０３）。管理されていない新たなオブジェクトの場合（Ｓ７０３での判定結果がＮＯ）、オブジェクト管理部１０５は、管理すべきオブジェクトとして対象オブジェクトを追加し、そのオブジェクト情報を保存する（Ｓ７０４）。またメタデータ管理部１０６は、追加された対象オブジェクトのメタデータ情報を保存する。その後、Ｓ７１２に進む。
【００２２】
一方、既に管理済みのオブジェクトの場合（Ｓ７０３での判定結果がＹＥＳ）、Ｓ７０５に進む。ここでオブジェクト管理部１０５は、メタデータ管理部１０６から、現在保持しているオブジェクトのメタデータ情報を抽出する。そして、メタデータ比較部１０７は、メタデータ管理部１０６より抽出されて保持している現時点でのメタデータと、新たに取得したメタデータとの間で内容を比較する（Ｓ７０６）。メタデータ比較部１０７は、メタデータ同士の比較結果から、メタデータが更新されているか否かを判定する（Ｓ７０７）。メタデータが更新されている場合（Ｓ７０７での判定結果がＹＥＳ）、オブジェクト管理部１０５は、メタデータ管理部１０６のメタデータ情報を更新させる（Ｓ７０８）。優先度算出部１０８は、上述のように図４のフローチャートに従って更新通知優先度を算出する（Ｓ７０９）。更新通知判定部１０９は、優先度算出部１０８が算出した更新通知優先度を、予め設定された閾値と比較し、今回のメタデータ更新の通知を行うか否かを判定する（Ｓ７１０）。この閾値は更新通知判定の基準値であって、例えば、更新通知優先度が３以上であることを条件とする場合、図５の例では、更新通知優先度４の人物Ａと、更新通知優先度３の人物Ｂと車Ｄについてメタデータの更新通知が行われることになる。なお更新通知判定部１０９が用いる判定基準はこれに限らない。例えば、更新通知を行うことが可能な時間間隔をさらに設定して、前回の更新通知を行った時点から一定時間以上経過していることを条件に加え、あるいは一度に更新通知可能なオブジェクト数の上限を設定してもよい。
【００２３】
Ｓ７１０で更新通知優先度が閾値以上と判定された場合、更新通知部１１０は、図６に示すメッセージを表示装置の画面に表示させる（Ｓ７１１）。一方、更新通知優先度が閾値未満の場合、Ｓ７１２に進む。
Ｓ７０７でメタデータが更新されていない場合（判定結果がＮＯ）や、Ｓ７１０で更新通知優先度が閾値未満の場合（判定結果がＮＯ）、又はＳ７０４の処理後、Ｓ７１２に進む。コンテンツの視聴終了の如何が判定され、終了と判定された場合には上記一連の処理が終了する。未終了の場合、Ｓ７０１に戻り、再び、メタデータ取得部１０３にて新たなメタデータを取得するところから処理を続行する。
第１実施形態によれば、オブジェクトのメタデータが更新された場合、オブジェクト情報やコンテンツ状況に応じて更新通知優先度を算出し、この優先度に基づいてメタデータの更新通知処理を行うことができる。
【００２４】
上記の例では、放送コンテンツにメタデータが予め付加されている場合について説明したが、変形例として、コンテンツを解析してメタデータを生成する形態が挙げられる。つまり、コンテンツにメタデータを予め付加して配信して受信する情報伝送形態では、受信装置にメタデータの解析部だけを設ければよいが、コンテンツデータのみを配信して受信する情報伝送形態では、コンテンツの解析が必要である。この場合、図１に示すように、コンテンツ解析部９０１が用いられ、該解析部は放送受信部１０２からチャンネル設定に応じた放送コンテンツのデータを受け取る。コンテンツ解析部９０１はコンテンツの画像解析を行い、コンテンツのメタデータを生成し、メタデータ解析部１０４に送信する。あるいはコンテンツ解析部９０１が、さらにメタデータ解析部１０４の機能をもつ形態では、コンテンツ及びメタデータ解析部を設け、解析結果がオブジェクト管理部１０５やメタデータ比較部１０７に送出される。
【００２５】
以上のように、装置内でコンテンツのメタデータを生成して処理する形態においても、オブジェクトのメタデータが更新された場合、更新通知優先度に基づいてメタデータの更新通知処理が実現される。なお、装置がメタデータ取得部１０３とコンテンツ解析部９０１を備える形態では、放送形態やデータ伝送形態に応じて、これらを適時に切り替える制御部が設けられる。
【００２６】
［第２実施形態］
次に、本発明の第２実施形態を説明する。第２実施形態では、コンテンツに付加されるメタデータを外部の画像解析サーバから取得する。
【００２７】
図８は、第２実施形態に係る映像処理装置２０１の構成例を示すブロック図である。図１との相違点はコンテンツデータ取得部８０１が外部の画像解析サーバ８０２からメタデータを取得することである。よって、図８において、図１に示す映像処理装置１０１の各構成部と同様の機能をもつ部分については、第１実施形態にて当該部分に付した符号と同一の符号を用いることにより、それらの説明を省略し、第１実施形態との相違点のみを以下に説明する。
【００２８】
コンテンツデータ取得部８０１は、放送受信部１０２からのコンテンツデータを受け取り、現時点で受信中の放送コンテンツを特定する。チャンネル設定に応じて放送受信部１０２の受信している放送コンテンツが特定された場合、コンテンツデータ取得部８０１は当該コンテンツを指定するための情報を、画像解析サーバ８０２に通知する。画像解析サーバ８０２は、コンテンツデータ取得部８０１からコンテンツを指定されると、コンテンツの画像解析を行い、メタデータを生成して送信する。コンテンツデータ取得部８０１によって指定されたコンテンツについて、メタデータが順次に生成され、所定の伝送路を通じてコンテンツデータ取得部８０１に送信される。コンテンツデータ取得部８０１は、画像解析サーバ８０２からメタデータを取得してメタデータ解析部１０４に送信する。これ以降は第１実施形態の場合と同様の処理が行われる。
画像解析サーバ８０２は、映像処理装置２０１の外部装置であり、例えばインターネットを介してアクセス可能なサーバや、映像処理装置２０１に接続して使用する機器でもよい。また、映像処理装置２０１が指定するコンテンツとしては、現在放送されているコンテンツでもよいし、過去に放送されたコンテンツでもよい。例えば、過去に放送された録画コンテンツのメタデータをコンテンツデータ取得部８０１が一度に取得し、再生時刻のメタデータをその都度比較することで更新通知を行う実施形態でも構わない。
【００２９】
第２実施形態によれば、外部の画像解析サーバからメタデータを取得して処理する映像処理装置において、オブジェクトのメタデータが更新された場合、更新通知優先度に基づいてメタデータの更新通知処理を行うことができる。
【符号の説明】
【００３０】
１０１，２０１  映像処理装置
１０３  メタデータ取得部
１０５  オブジェクト管理部
１０６  メタデータ管理部
１０７  メタデータ比較部
１０８  更新通知優先度算出部
１０９  更新通知判定部
１１０  更新通知部
８０１  コンテンツデータ取得部
９０１  コンテンツ解析部
【図１】
2011223164.tif 000003
【図２】
2011223164.tif 000004
【図３】
2011223164.tif 000005
【図４】
2011223164.tif 000006
【図５】
2011223164.tif 000007
【図６】
2011223164.tif 000008
【図７】
2011223164.tif 000009
【図８】
2011223164.tif 000010